(57)【要約】【課題】生け花用のポットの中に入れた水の水温を、室温によって上昇するの防いで、ポットに生けた切り花を、高い鮮度を維持させたまま、長時間生長させて、切り花の寿命を長くする。【解決手段】水を入れて切り花を挿すための空間の外周に、当該空間と仕切られた密閉の空間が形成され、当該空間内に、ノルマルパラフィンを高濃度且つ低粘度に水分散したゲル状のノルマルパラフィン水溶液からなる冷却材が充填された生け花用のポットにする。【選択図】図１
2005270596.tif 000002
【特許請求の範囲】
【請求項１】
水を入れて切り花を挿すための容器部の外周に、当該容器部の内側の空間と仕切られた密閉空間が形成され、当該密閉空間内に、ノルマルパラフィンを高濃度且つ低粘度に水分散したゲル状のノルマルパラフィン水溶液からなる冷却材が充填されていることを特徴とする生け花用のポット。
【請求項２】
前記密閉空間の外壁に沿って断熱材が配置されている請求項１に記載の生け花用ポット。
【発明の詳細な説明】
【技術分野】
【０００１】  本発明は、生け花の鮮度を長時間維持させて鑑賞できる生け花用のポットに関する。
【背景技術】
【０００２】  切り花の鮮度が低下するのを抑制する方法として、切り花を低温環境で保存する方法が知られており、例えば、特開平６−７８６３１号公報には、バラの切り花の貯蔵方法として、切り花を、間接冷却にて貯蔵質の冷却を行う低温庫の貯蔵室内に、温度０〜１２℃、湿度９０〜９５％で貯蔵する方法が提案されている。
また、切り花の生長を維持させるために水分が欠かせないことから、例えば、特開平８−２９４３８０号公報には、適度の保水性を維持させて切り花を包む鮮度保持シートが提案されている。
この他にも、エチレンガスを利用して切り花の鮮度を維持させる技術も一般に広く利用されている。
しかしながら、これらの従来技術は、切り花を生産農場から出荷するときの梱包、及び、集荷場、貯蔵倉庫、店頭における保存には適しているが、切り花を、水を入れたポットに挿して生け花としたときには対応できない。
このため、切り花をポットに入れて生け花として出来るだけ長時間、鮮度を維持させ続けるためには、水の品質が重要となる。水の品質は、水温と、劣化があり、水温は、室温よりも低いのが好ましいとされ、その温度は、上記従来技術で挙げられているように、０〜１２℃程度が好ましい。水の劣化は、水の温度に大きく影響され、冷たいほうが劣化し難く、また、出来るだけ交換時期を早めるのが良いとされている。
【発明が解決しようとする課題】
【０００３】  しかしながら、ポットの中に冷たい水を入れても、時間の経過とともに室温近くまで水温が上昇して温かい水になり、この結果、水の腐敗も進む。
この対策としては、水が室温まで上昇するのを抑えるようにすれば良いのであるが、従来技術の生け花用のポットには、このような対策がされていなかった。このため、従来では、ポットの中の水の交換時期を早める方法しか無かったが、ポットの中の水が室温近くまで上昇するのが早く、これに合わせて水の交換を頻繁に行うことは、手間や時間と、水を交換する度に、切り花を抜き差しする手間を考えると、容易ではなかった。
【０００４】  このため、本発明者は、生け花用のポットに切り花を生けたまま、出来るだけポットの中の水の温度が上昇しないようにする技術について検討した。そして、本発明者は、ノルマルパラフィン水溶液、及び、ノルマルパラフィンと水とを混合させたゲルが、高い冷却効果を長時間維持させることが判り、これら何れかの材料を利用すると、ポットの中の水の水温を、間接的に上昇するのを抑制できることが判った。
【課題を解決するための手段】
【０００５】  以上の課題を解決するために提案される本発明の生け花用のポットは、水を入れて切り花を挿すための容器部の外周に、当該容器部の内側の空間と仕切られた密閉空間が形成され、当該密閉空間内に、ノルマルパラフィンを高濃度且つ低粘度に水分散したゲル状のノルマルパラフィン水溶液からなる冷却材が充填されていることを特徴とする。
【０００６】  本発明の生け花用のポットに用いられている冷却材は、ゲル状のノルマルパラフィン水溶液である。
ノスマルパラフィンは、ＣｎＨ２ｎ＋２であらわされるパラフィン系炭化水素であり、炭素数が１〜４（Ｃ１〜４）のものは、常温では気体として存在し、炭素数が５〜１５（Ｃ５〜１５）のものは、常温で液体として存在し、炭素数が１６（Ｃ１６）以上のものは、一般に、常温では固体として存在する。
【０００７】  本発明の冷却材に用いられるノルマルパラフィンは、これら炭素数の違いによるノルマルパラフィンのうち、必ずしも限定されるものではないが、炭素数が１４，１５，１６（Ｃ１４〜１６）のものを用いることが好ましい。そして、これらいずれかのノルマルパラフィンと水とを混合させて、濃度５０％±２のノルマルパラフィン水溶液を製造した。
濃度５０％±２のノルマルパラフィン水溶液は、炭素数の違いにより、ソフトゲル又はハードゲル状であることが確認され、融点は、炭素数の違いにより、１０〜５５℃であり、粘度は２００ｃｐを超えない範囲であり、ｐＨは、８±１であることが確認された。
【０００８】  そして、濃度５０％±２のゲル状のノルマルパラフィン水溶液は、炭素数が１４のものでは、融点５．９℃、融解潜熱が２２９．８ｋｊ／ｋｇ、引火点が９９℃であることが確認され、
炭素数が１５のものでは、融点９．９℃、融解潜熱が１６３．８ｋｊ／ｋｇ、引火点が１３２℃であることが確認され、
炭素数が１６のものでは、融点１８．２℃、融解潜熱が２２８．８ｋｊ／ｋｇ、引火点が１３５℃であることが確認された。
いずれも、冷却用途に好適な温度領域（５〜１５℃）が確保でき、過冷却制御にも優れ、寿命も高いことが確認された。そして、これらの価格は比較的安価である。
【０００９】  本発明では、これらいずれかのノルマルパラフィン水溶液を利用して、生け花用のポットの中に入れた水の温度が上昇するのを抑制するようにした。
【００１０】  この冷却材を冷蔵庫内に入れて冷却した後、常温環境下に放置すると、２００分経過するまで、大きな温度低下は見られず、２００分を経過した後、ゆっくりと温度低下することが確認された。
【００１１】  ここに用いられる生け花用のポットは、中に水を入れて切り花を挿し、切り花を観賞するために用いられるポットであり、テーブルの上に置く比較的背丈の低い小さなものから、床の上に置く比較的背丈のあるものが該当し、店頭で切り花を展示するのに用いられるポットも該する。
【００１２】  そして、この生け花用のポットの中に入れた水の温度が上昇するのを防ぐために、ポットの中の水と混ざらないように、ポットの容器部の外周に、当該容器部の内側空間と仕切られた密閉空間を形成して、この密閉空間の中に、上述した冷却材を充填した。
このようにすると、生け花用のポットの中に入れた水は、容器部の内壁を挟んで位置する冷却材によって、間接冷却される。
【００１３】  生け花用のポットの中に入れる水は、出来るだけ冷たい水が良い。とくに、夏場では、氷片を加えると尚良い。このようにすると、ポットの中の水で冷却された冷却材によって、ポットの中に入れられた水の温度が上昇するのを抑制することができる。すなわち、この冷却材は、ポットの中に入れられた水の温度が上昇するのを防ぐ断熱材でもある。しかしながら、一般に良く知られる発泡スチロールなど従来の断熱材と異なる点は、従来の断熱材は、ポットの中の水温が外側環境の室温に影響されるのを抑制するものであるのに対し、本発明の生け花用のポットでは、ポットの中に入れた冷たい水の水温によって、冷却材を水温まで冷却し、この冷却材の冷熱によって、ポットの中の水温が上昇するのを防ぐようにした点にある。つまり、水温よりも冷却材の温度が、より長時間、冷たさを維持してえいるのである。
【００１４】  そして、本発明では、このため、冷却材が室温で影響され難くするために、冷却材があ充填されている密閉空間の外壁に沿って断熱材が配置されている生け花用のポットも提案した。
【００１５】  なお、時間の経過とともに、冷却材の温度も次第に上昇するが、この時には、ポットの中の水を、冷たい水と交換すれば良い。
【発明の効果】
【００１６】  以上、説明した本発明の生け花用ポットは、炭素数が１４，１５，１６（Ｃ１４〜１６）のいずれかのノルマルパラフィンと水とを混合したノルマルパラフィン水溶液を冷却材として用い、更に好ましくは、濃度５０％±２のゲル状のノルマルパラフィン水溶液を冷却材として用いた結果、これら何れかの冷却材でポットの中の水温を、冷却用途に好適な温度領域（５〜１５℃）が出来るだけ長時間維持させることができるようになった。この結果、生け花として挿した切り花の生長を抑制させて長時間、高い鮮度を維持できるようになり、水の交換時期を早くする必要も無くなったのである。
【発明を実施するための最良の形態】
【００１７】  本発明を実施するための最良の形態は、生け花用のポットの水を入れて切り花を挿すための空間の外周に、当該空間と仕切られた密閉の空間を形成し、この空間内に、炭素数が１４，１５，１６（Ｃ１４〜１６）のいずれかのノルマルパラフィンと水とを混合させて、濃度５０％±２のゲル状のノルマルパラフィン水溶液からなる冷却材を充填した構成のものである。
【実施例１】
【００１８】  図１は本発明の実施例１による生け花用ポットを水と切り花を入れて示した側面断面図である。【００１９】  図１に示す本発明の実施例１による生け花用のポット１は、筒形状を有する外側ケース２の内側に、水を入れて切り花を挿すための空間５が形成され、この空間５の外周に、この空間５と仕切られた密閉空間４が形成された容器部３が上方から収容されており、この容器３の外周空間４の中に、ノルマルパラフィンを高濃度且つ低粘度に水分散したゲル状のノルマルパラフィン水溶液からなる冷却材Ｆが充填されたもので構成されている。【００２０】  冷却材Ｆは、炭素数が１４，１５，１６（Ｃ１４〜１６）のいずれかよりなる濃度５０％±２のゲル状のノルマルパラフィン水溶液を用いるのが好ましい。【００２１】  外側ケース３は、円筒又は角筒形状を有し、その下端部が外方向に広がって形成された形状を有する外側ケース本体２ａと、外側ケース本体２ａの内側の下端部に設けられている容器部３を、下部を安定した姿勢で外側ケース２の中央に位置させるための台２ｂと、中央に大きな開口が形成された蓋２ｃとが組み付けられたもので構成され、容器部３は、外側ケース３から蓋２ｃを取り外した後、上方に引き出すことができるようになっている。
図示していないが、容器部３を上方に引き出し易いように、容器部３の上部に把手を設けたり、或いは、引手やツマミを設けても良い。【００２２】  容器部３内には、水Ｗが入れられ、更に、好みの切り花６が生けられ、水Ｗを交換時には、容器部３を上方に引き出す。
このような構成を有する実施例１の生け花用ポット１は、容器部３の中に入れた水ｗが、容器部３の内壁を挟んで位置する冷却材Ｆによって冷却されて、温度上昇するのが抑えられている。ポット１の中に入れる水Ｗは冷水であり、この冷水による温度によって冷却材Ｆが冷却され、冷却材Ｆによって、水温が室温によって上昇するのが抑えられている。このため、切り花６は、冷たい水Ｗによって、長時間、高い鮮度を維持させて生き続けることができるようになる。【００２３】  図示していないが、容器部を一層構造で形成して、その外周に冷却材を充填した密閉容器を固定し、或いは、着脱可能に設けても良い。【００２４】  また、冷却材を容器部の外周に位置させないで、密封した袋の中に冷却材を入れた冷却材入り袋を、容器部の中に水と一緒に入れて、水を冷却するようにしても良い。また、更には、冷却材入り袋が生け花の枝や茎の下端部が刺さって破けないように、容器部の底近くの中段に、網又は格子のような中底を入れて、この中底の下の冷却材入り袋を入れても良い。
【図面の簡単な説明】
【００２５】
【図１】本発明の実施例１による生け花用のポットを水と切り花を入れて示した側面断面図である。
【符号の説明】
【００２６】    １  生け花用のポット
２  外側ケース
３  容器部
４  密閉空間
５  空間
６  切り花
Ｆ  冷却材
Ｗ  水
【図１】
2005270596.tif 000003